(57)【要約】【課題】あらゆる地盤に設置することができ、施工工数を大幅に削減した風力発電システムを提供する。【解決手段】風力発電システムは、風車１と、風車１の回転力を用いて圧縮した圧縮空気を貯留する空気貯槽６と、空気貯槽６に貯留された圧縮空気で駆動する空気タービン８と、空気タービン８の回転駆動によって発電する発電機９と、を備え、空気貯槽６の上部に風車塔体２が立設され、この風車塔体２に風車１が設置され、空気貯槽６が風車１の基礎として構成されている。【選択図】図１
2020070757.tif 000002
【特許請求の範囲】
【請求項１】
風車と、
前記風車の回転力を用いて圧縮した圧縮空気を貯留する空気貯槽と、
前記空気貯槽に貯留された前記圧縮空気で駆動する空気タービンと、
前記空気タービンの回転駆動によって発電する発電機と、を備え、
前記空気貯槽の上部に風車塔体が立設され、この風車塔体に前記風車が設置され、前記空気貯槽が前記風車の基礎として構成されていることを特徴とする風力発電システム。
【請求項２】
前記空気貯槽は、地下又は水中に設置されていることを特徴とする請求項１に記載の風力発電システム。
【請求項３】
前記空気貯槽は、ケーソン工法により築造されていることを特徴とする請求項１又は２に記載の風力発電システム。
【請求項４】
前記空気貯槽は、開閉弁が設けられた導入配管を通して水源と接続され、前記開閉弁を開けて前記水源から水を導入可能としたことを特徴とする請求項１乃至３のいずれか一項に記載の風力発電システム。
【請求項５】
前記風車の回転力を動力として空気を圧縮する空気圧縮機と、前記風車の回転力で発電した電力を用いて空気を圧縮する空気圧縮機のいずれか一方をさらに備えることを特徴とする請求項１乃至４のいずれか一項に記載の風力発電システム。
【請求項６】
前記空気圧縮機と前記空気貯槽を接続する貯槽配管と、
前記空気貯槽と前記空気タービンを接続するタービン配管と、
前記貯槽配管及び前記タービン配管のそれぞれが経由し、前記空気圧縮機によって空気が圧縮されるときの熱を、前記空気タービンに送られる膨張する空気に伝達して熱交換する熱交換器と、
をさらに備えることを特徴とする請求項５に記載の風力発電システム。
【発明の詳細な説明】
【技術分野】
【０００１】
本発明は、風力発電システムに係り、特に風車の回転力を用いて空気を圧縮し、この圧縮空気を空気貯槽に貯留する風力発電システムに関する。
【背景技術】
【０００２】
一般に、風力発電システムは、再生可能な自然エネルギーを利用するものである。しかし、自然風の風量が常時変動することから、発電の不安定性が課題として残っている。この課題は、圧縮空気エネルギーを貯蔵するシステムを用いて安定化させることができる。このようなシステムを用いた風力発電装置には、例えば特許文献１に記載された装置がある。
【０００３】
ところで、軟弱地盤地域では、風力発電システムを設置する場合、その設置場所に例えば杭等を打ち込んで、軟弱地盤を補強している。
【先行技術文献】
【特許文献】
【０００４】
【特許文献１】特開２００５−１８０２３７号公報
【発明の概要】
【発明が解決しようとする課題】
【０００５】
上述したように、従来では、軟弱地盤地域に風力発電システムを設置する場合、その設置場所に杭等を打ち込んで、地盤を補強しているため、施工工数及び施工コストが多くかかるという問題がある。
【０００６】
本発明は、上記事情を考慮してなされたものであり、軟弱地盤等のあらゆる地盤に設置することができ、施工工数及び施工コストを大幅に削減可能な風力発電システムを提供することを目的とする。
【課題を解決するための手段】
【０００７】
上記課題を解決するため、本発明の請求項１に記載の発明は、風車と、前記風車の回転力を用いて圧縮した圧縮空気を貯留する空気貯槽と、前記空気貯槽に貯留された前記圧縮空気で駆動する空気タービンと、前記空気タービンの回転駆動によって発電する発電機と、を備え、前記空気貯槽の上部に風車塔体が立設され、この風車塔体に前記風車が設置され、前記空気貯槽が前記風車の基礎として構成されていることを特徴とする。
【０００８】
また、本発明の請求項２に記載の発明は、請求項１に記載の構成に加え、前記空気貯槽は、地下又は水中に設置されていることを特徴とする。
【０００９】
また、本発明の請求項３に記載の発明は、請求項１又は２に記載の構成に加え、前記空気貯槽は、ケーソン工法により築造されていることを特徴とする。
【００１０】
また、本発明の請求項４に記載の発明は、請求項１乃至３のいずれか一項に記載の構成に加え、前記空気貯槽は、開閉弁が設けられた導入配管を通して水源と接続され、前記開閉弁を開けて前記水源から水を導入可能としたことを特徴とする。
【００１１】
また、本発明の請求項５に記載の発明は、請求項１乃至４のいずれか一項に記載の構成に加え、前記風車の回転力を用いて空気を圧縮するか、あるいは前記風車の回転力で発電した電力を用いて空気を圧縮する空気圧縮機をさらに備えることを特徴とする。
【００１２】
また、本発明の請求項６に記載の発明は、請求項５に記載の構成に加え、前記空気圧縮機と前記空気貯槽を接続する貯槽配管と、前記空気貯槽と前記空気タービンを接続するタービン配管と、前記貯槽配管及び前記タービン配管のそれぞれが経由し、前記空気圧縮機によって空気が圧縮されるときの熱を、前記空気タービンに送られる膨張する空気に伝達して熱交換する熱交換器と、をさらに備えることを特徴とする。
【発明の効果】
【００１３】
本発明の請求項１に記載の発明によれば、空気貯槽の上部に風車塔体が立設され、この風車塔体に風車が設置され、空気貯槽が風車の基礎として構成されているため、軟弱地盤等のあらゆる地盤に設置することができ、汎用性を高めるとともに、施工工数及び施工コストを大幅に削減することが可能となる。
【００１４】
また、本発明の請求項２に記載の発明によれば、請求項１に記載の発明の効果に加え、空気貯槽は、地下又は水中に設置されているので、設置するための用地を効率的に活用することができる。
【００１５】
また、本発明の請求項３に記載の発明によれば、請求項１又は２に記載の効果に加え、空気貯槽は、ケーソン工法により築造されているため、空気貯槽が風車及び風車塔体を支持することにより、軟弱な地盤でも確実に設置することができる。
【００１６】
また、本発明の請求項４に記載の発明によれば、請求項１乃至３のいずれか一項に記載の発明の効果に加え、空気貯槽は、開閉弁が設けられた導入配管を通して水源と接続され、開閉弁を開けて前記水源から水を導入可能としたことにより、圧縮空気を空気貯槽に貯め始める前に、開閉弁を開けて空気貯槽に水源からの水を貯め、空気貯槽の空気圧が水源の水頭圧の差に達したときに開閉弁を閉じることで、空気貯槽からさらに高い圧縮空気を空気タービンに送ることができる。
【００１７】
また、本発明の請求項５に記載の発明によれば、請求項１乃至４のいずれか一項に記載の発明の効果に加え、風車の回転力を用いて空気を圧縮するか、あるいは風車の回転力で発電した電力を用いて空気を圧縮する空気圧縮機をさらに備え、風車の回転力を用いて空気を圧縮する場合には、エネルギー変換効率を向上させることができる。
【００１８】
また、本発明の請求項６に記載の発明によれば、請求項５に記載の発明の効果に加え、貯槽配管及びタービン配管のそれぞれが熱交換器を経由し、空気圧縮機によって空気が圧縮されるときの熱を、空気タービンに送られる膨張する空気に伝達して熱交換することにより、エネルギー貯蔵効率を向上させることができる。
【図面の簡単な説明】
【００１９】
【図１】本発明の第１実施の形態に係る風力発電システムの構成を示す系統図である。
【図２】本発明の第２実施の形態に係る風力発電システムの構成を示す系統図である。
【発明を実施するための形態】
【００２０】
以下、本発明の実施形態について、図面を参照して詳細に説明する。
【００２１】
［第１実施の形態］
図１は、本発明の第１実施の形態に係る風力発電システムの構成を示す系統図である。
【００２２】
まず、図１を用いて風力発電システムの構成を簡単に説明する。
【００２３】
本実施の形態の風力発電システムは、構成を簡単に説明すると、風車１の回転力を直接動力とする空気圧縮機４によって空気を圧縮し、この圧縮空気を空気貯槽６に貯留し、この空気貯槽６と海、河川又は湖沼等の水源１０と接続することで、エネルギー貯蔵容量を大きくしている。
【００２４】
図１に示すように、風車１は、風車塔体２の上端に回転可能に設置されている。この風車塔体２内には、動力伝達部３が設けられている。この動力伝達部３は、空気圧縮機４ａに接続されている。したがって、風車１が風力により回転すると、この回転力が動力伝達部３を経て空気圧縮機４ａに伝達されて、空気圧縮機４が駆動する。すなわち、空気圧縮機４ａは、風車１の回転力を動力として空気を圧縮することで高圧の圧縮空気としている。
【００２５】
空気圧縮機４ａは、貯槽配管５を介して空気貯槽６に接続されている。この貯槽配管５には、開閉可能な開閉弁１４が設けられている。開閉弁１４を開けた場合には、空気圧縮機４ａによって圧縮された高圧の圧縮空気は、貯槽配管５を通して空気貯槽６に貯留される。空気圧縮機４ａは、空気貯槽６の上面に設置されている。
【００２６】
本実施の形態の空気貯槽６は、ニューマチックケーソン工法、オープンケーソン工法、アーバンリング工法、又は設置ケーソン工法を含むケーソン工法により築造されている。空気貯槽６は、その上面が地面と略同一高さになるように地下Ｇに埋設されている。空気貯槽６の上面には、風車塔体２が立設されている。空気貯槽６は、風車１及び風車塔体２を含む上部構造を支持する基礎として構成されている。空気貯槽６は、導入配管１１を介して海、河川又は湖沼等の水源１０に接続されている。
【００２７】
この導入配管１１には、開閉可能な開閉弁１２が設けられている。この開閉弁１２を開けた場合には、水源１０からの水が空気貯槽６に導入される。開閉弁１２は、風車１から比較的離れた場所に設置される場合には、例えば遠隔操作可能な制御弁が用いられる。
【００２８】
導入配管１１の空気貯槽６側の端部は、空気貯槽６の底面近傍まで延びている。一方、導入配管１１の水源１０側の端部は、水源１０において水深の浅い位置に配置されている。そのため、水源１０の水面の高さと、空気貯槽６の底面との間には、水頭差ｈが発生する。
【００２９】
空気貯槽６は、タービン配管７を介して空気タービン８と接続されている。このタービン配管７にも開閉可能な開閉弁１３が設けられている。空気タービン８は、空気貯槽６に貯留された圧縮空気がタービン配管７を通して供給されることで回転駆動する。すなわち、空気タービン８のロータは、発電機９と連結され、空気タービン８のロータが回転駆動することによって発電機９が発電を行うように構成されている。
【００３０】
貯槽配管５及びタービン配管７は、それぞれ熱交換器１５を経由するように配置されている。これにより、熱交換器１５は、空気圧縮機４ａによって空気が圧縮されるときの熱を、空気タービン８に送られる膨張する空気に伝達して熱交換するようにしている。熱交換器１５は、空気貯槽６の上面に設置されている。
【００３１】
次に、本実施の形態の作用を説明する。
【００３２】
風車１が風力により回転すると、この回転力が動力伝達部３を経て空気圧縮機４ａに伝達されて、空気圧縮機４ａを駆動させる。この空気圧縮機４ａが駆動することにより発生する高圧の圧縮空気は、貯槽配管５を通して空気貯槽６に貯留される。
【００３３】
空気貯槽６に貯留された高圧の圧縮空気は、タービン配管７を通して空気タービン８を回転駆動させる。そして、空気タービン８が回転駆動することによって発電機９が発電を行う。
【００３４】
ここで、空気貯槽６は、ケーソン工法により築造され、風車１及び風車塔体２を含む上部構造を支持する基礎としての機能を有する。このため、風車１及び風車塔体２を含む上部構造は、地盤が軟弱であっても確実に設置することが可能になる。
【００３５】
空気貯槽６は、導入配管１１を介して水源１０に接続されている。したがって、開閉弁１２を開けることにより、水源１０の水を空気貯槽６に導入することができる。ここで、本実施の形態では、空気貯槽６に圧縮空気を貯留し始める前に、開閉弁１２を開けることで、水源１０の水を空気貯槽６に導入して空気貯槽６に貯留する。そして、空気貯槽６の空気圧が水頭差ｈに達したときに開閉弁１２を閉じる。
【００３６】
また、風車１が回転せず、空気貯槽６内の空気圧が大気圧になったときに開閉弁１２を開けることで、空気貯槽６内の空気が圧縮されることで、この圧縮空気をさらに空気タービン８に供給することができる。
【００３７】
したがって、本実施の形態では、開閉弁１２を開閉することで、空気貯槽６内に圧縮空気エネルギーが貯められている限り、空気タービン８を回転駆動させて発電機９で発電させることができる。
【００３８】
このように本実施の形態では、空気貯槽６の上部に風車塔体２が立設され、この風車塔体２に風車１が設置され、空気貯槽６が風車１の基礎として構成されているため、軟弱地盤等のあらゆる地盤に設置することができ、汎用性を高めるとともに、施工工数及び施工コストを大幅に削減することが可能となる。
【００３９】
また、本実施の形態では、空気貯槽６は、地下Ｇに設置されているので、設置するための用地を効率的に活用することができる。
【００４０】
また、本実施の形態では、空気貯槽６は、ケーソン工法により築造されているため、空気貯槽６が風車１及び風車塔体２を支持することにより、軟弱な地盤でも確実に設置することができ、汎用性を一段と高めることができる。
【００４１】
また、本実施の形態では、空気貯槽６は、開閉弁１２が設けられた導入配管１１を通して水源１０と接続され、開閉弁１２を開けて水源１０から水を導入可能としたことにより、圧縮空気を空気貯槽６に貯め始める前に、開閉弁１２を開けて空気貯槽６に水源１０からの水を貯め、空気貯槽６の空気圧が水源１０の水頭圧の差に達したときに開閉弁１２を閉じることで、さらに高い圧縮空気を空気タービン８に送ることができる。
【００４２】
また、本実施の形態では、空気圧縮機４ａが風車１の回転力を直接動力として空気を圧縮することにより、エネルギー変換効率を向上させることができる。
【００４３】
また、本実施の形態では、貯槽配管５及びタービン配管７のそれぞれが熱交換器１５を経由し、空気圧縮機４ａによって空気が圧縮されるときの熱を、空気タービン８に送られる膨張する空気に伝達して熱交換することにより、エネルギー貯蔵効率を向上させることができる。
【００４４】
［第２実施の形態］
図２は、本発明の第２実施の形態に係る風力発電システムの構成を示す系統図である。なお、前記第１実施の形態と同一の部分には、同一の符号を付して重複する説明を省略する。
【００４５】
図２に示すように、本実施の形態の風力発電システムは、空気貯槽６が海、河川又は湖沼等の水源１０の水中に設置されている。空気貯槽６は、上部が水源１０の水面から露出している。空気貯槽６は、導入配管１１を介して水源１０と接続され、この導入配管１１には、開閉弁１２が設けられている。本実施の形態の開閉弁１２は、水中に設置されている。
【００４６】
本実施の形態の風力発電システムは、風車１の回転力で発電した電力を用いて空気圧縮機４ｂを駆動して空気を圧縮している。
【００４７】
また、本実施の形態でも、前記第１実施の形態と同様に、空気貯槽６の上面に風車塔体２が立設されている。すなわち、空気貯槽６は、風車１及び風車塔体２を含む上部構造を支持する基礎として構成されている。さらに、空気圧縮機４ｂ及び熱交換器１５も、前記第１実施の形態と同様に空気貯槽６の上面に設置されている。
【００４８】
したがって、本実施の形態では、風車１の回転力で発電した電力を用いて空気圧縮機４ｂを駆動しているので、発電機が必要になるものの、前記第１実施の形態のように風車塔体２内の上下方向にわたって動力伝達部３を設けることがなくなり、風車塔体２内の構造を簡素化することができる。
【００４９】
なお、その他の構成及び作用効果は、前記第１実施の形態と同様であるので、その説明を省略する。
【００５０】
なお、以上説明した実施の形態は、本発明の理解を容易にするために記載されたものであって、本発明を限定するために記載されたものではない。
【００５１】
例えば、各実施の形態の風力発電システムは、空気貯槽６の上部に１つの風車塔体２を立設し、この風車塔体２に風車１が設置された例について説明したが、これに限らず空気貯槽６を大型化することで、その上部に複数の風車塔体２を立設し、これらの風車塔体２に風車１を設置した場合についても適用可能である。
【符号の説明】
【００５２】
１    風車
２    風車塔体
３    動力伝達部
４ａ  空気圧縮機
４ｂ  空気圧縮機
５    貯槽配管
６    空気貯槽
７    タービン配管
８    空気タービン
９    発電機
１０    水源
１１    導入配管
１２    開閉弁
１３    開閉弁
１４    開閉弁
１５    熱交換器
Ｇ    地下
ｈ    水頭差
【図１】
2020070757.tif 000003
【図２】
2020070757.tif 000004